(57)【要約】      （修正有）【課題】本発明が解決しようとする課題は、取付時に工具を要せず、素手で取付可能で、懸架部材がはずれにくく、簡単な構造の連結部材を得ることである。【解決手段】本発明の取付部材は、器具本体と、この器具本体に対して懸架部材を介して着脱自在に取り付けられるカバーとを備えた照明器具において、懸架部材とカバーを連結する連結部材であって、連結部材は基板部と折返部とから構成され、基板部上には断面が略Ｌ字形の受部を有し、折返部の先端には爪部を有し、ここにおいて受部と爪部はカバーに施された取付孔を対向方向に把持することによりカバーに固定するよう形成したことを特徴とする。【選択図】図４
2006302508.tif 000002
【特許請求の範囲】
【請求項１】
器具本体と、この器具本体に対して懸架部材を介して着脱自在に取り付けられるカバーとを備えた照明器具において、前記懸架部材と前記カバーを連結する連結部材であって、前記連結部材は基板部と折返部とから構成され、前記基板部上には断面が略Ｌ字形の受部を有し、前記折返部の先端には爪部を有し、ここにおいて前記受部と前記爪部は前記カバーに施された取付孔を対向方向に把持することにより前記カバーに固定するよう形成したことを特徴とする連結部材。
【請求項２】
前記基板部上に、爪部用開口部を形成したことを特徴とする請求項１に記載の連結部材。
【請求項３】
前記爪部は、前記基板部に向けて直角よりも折返部内部方向に傾いて形成した事を特徴とする請求項１又は２に記載の連結部材。
【請求項４】
前記爪部の引掛面の基板部側先端と前記受部の受面との離間距離は、カバーに施された取付孔の連結方向長さよりも長く形成した事を特徴とする請求項３に記載の連結部材。
【発明の詳細な説明】
【技術分野】
【０００１】
本発明は、照明器具のカバーと懸架部材を連結する連結部材に関する。
【背景技術】
【０００２】
通常、天井や壁に取り付けられる照明器具は、ランプを内蔵する箱体である器具本体にカバーが取り付けられる構造となっている。カバーは眩しさを軽減したり見栄えを良くする目的で利用され、透光性を有した部材を用いたものがよく用いられている。器具本体とカバーとの取付はＶ字型ばねに代表されるような線材を加工した懸架部材を介して取り付けられており、着脱が簡単に行えるように工夫がなされている。着脱の作業時において、この懸架部材のばね作用で急激にカバーが引きあがらないようにする為に、例えば特許文献１〜３のような変形型Ｖ字型ばねや制動装置等が開発されている。
【０００３】
懸架部材は、連結部材によってカバーに連結される。連結部材は、特許文献４のように、Ｖ字型ばねを係止させる折返部の形状を改良し、Ｖ字型ばねがはずれないようにしたものや、図１に示すものが見られる。これらの連結部材をカバーに取り付けるには、ビス等の部品を使用した取付方法が行われてきた。しかしながら、ビス止めするには、ビスの部品と工具を利用して取り付ける必要があり、手間がかかった。
【０００４】
この手間を省く技術として、特許文献５に開示されているものがある。特許文献５の技術では、取付方法もビス等の部品や工具を要せず、素手で取り付けることができ、かつ連結部材から懸架部材がはずれにくく工夫されている。しかしながら、この連結部材は湾曲部、爪部の数が多く形状が複雑でコスト高であった。
【特許文献１】特開平６−２１５６０８号公報
【特許文献２】特開平１１−１６２２２７号公報
【特許文献３】特開平５−１５１８１０号公報
【特許文献４】特開平１１−１２６５１１号公報
【特許文献５】特開平１１−３０６８３９号公報
【発明の開示】
【発明が解決しようとする課題】
【０００５】
本発明が解決しようとする課題は、取付時に工具を要せず、素手で取付可能で、懸架部材がはずれにくく、簡単な構造の連結部材を得ることである。
【課題を解決するための手段】
【０００６】
前記課題を解決するために、本発明の取付部材は、器具本体と、この器具本体に対して懸架部材を介して着脱自在に取り付けられるカバーとを備えた照明器具において、懸架部材とカバーを連結する連結部材であって、連結部材は基板部と折返部とから構成され、基板部上には断面が略Ｌ字形の受部を有し、折返部の先端には爪部を有し、ここにおいて受部と爪部はカバーに施された取付孔を対向方向に把持することによりカバーに固定するよう形成したことを特徴とする。
【０００７】
連結部材は、弾性を有する材料で形成する。特に限定はしないが、金属やプラスチックを用いるのが好ましい。折返部は、材料を湾曲又は屈曲して折返し、懸架部材を係止できるように形成する。また、折返部は、ばね性を強めるように形成させることで、カバーへの取付が強固なものになる。
【０００８】
懸架部材とは、Ｖ字型ばねに代表されるような線材を加工した物を指すが、特許文献１又は２で示されているようなＶ字型ばねを変形した物や、Ｖ字型ではなく、菱形やハート型のばねでも良く、同目的の物であるならば形は問わない。
【０００９】
また、本発明の連結部材において、基板部上に爪部用開口部を形成するのが好ましい。爪部用開口部を設けることで、折返部のばね性の働きを制限することを防ぐことができる。
【００１０】
また、本発明の連結部材において、爪部は基板部に向けて直角よりも折返部内部方向に傾いて形成すると良い。このように形成することで、爪部のばね性を利用して懸架部材を嵌めやすくなる。更に、この構成において、爪部の引掛面の基板部側先端と受部の受面との離間距離は、カバーに施された取付孔の連結方向長さよりも長く形成すると良い。このように形成することで、カバーへの取付時に、連結部材の折返部及び爪部が基板部側に嵌り込む形で取り付き、ばね性を更に有効に働かせることができる。
【発明の効果】
【００１１】
本発明の連結部材は、ビス等の部品を使用せずに素手でカバーに取付可能であるので、工具も要せず、手間がかからない。これにより、懸架部材とカバーの連結が短時間で行われる。また、簡単な構成であるので低コストで提供できる。
【発明を実施するための最良の形態】
【００１２】
以下、図２〜図６を参照して本発明の実施の一形態を図面を用いて説明する。
【００１３】
図２は、本発明の連結部材を用いた照明器具を示す図である。図示しないランプを収容する器具本体４の側板内側には係合部材４１が備えられ、Ｖ字型ばね２が懸架できるようになっている。カバー３には取付孔が形成され、この取付孔を利用して連結部材１が取り付けられている。カバー３は連結部材によりＶ字型ばね２と連結され、Ｖ字型ばね２が係合部材４１に懸架すると、カバー３はばねの力により器具本体４に引き寄せられて取り付けられる。
【００１４】
図３は、カバー３が連結部材１によりＶ字型ばね２と連結している部分の拡大図である。連結部材１はカバー３に形成された取付孔３１を利用して取り付けられている。
【００１５】
図４は、本発明の連結部材１を示す斜視図である。図４に示したように、本発明の連結部材１は、基板部１１と折返部１２とから基本的に構成されている。材料は弾性を有する金属板を使用している。折返部１２は金属板を湾曲して形成されており、平面的な基板部１１と一体に成形されている。基板部１１には断面が略Ｌ字型の受部１３が形成されている。これに対し、折返部１２の先端からは爪部１４が基板部１１に向けて突き出す方向に形成されている。また、爪部１４が突き出す方向は、基板部１１に向けて直角よりも折返部内部方向に傾いて形成されている。基板部１１には爪部用開口部１５が施されており、折返部１２のばね性を利用して取り付ける際に、爪部１４が基板部１１と接触する事でばね性を制限しないようになっている。
【００１６】
図５は、図４Ａ−Ａ線での断面図である。爪部１４の引掛面１４ａの基板部側先端と受部１３の受面１３ａとの離間距離をｄ１とすると、ｄ１はカバー３に施された取付孔の連結方向長さｄ２（図６参照）よりも長く形成している。
【００１７】
図６（ａ）〜（ｄ）の断面図は、連結部材１を使用したカバー３とＶ字型ばね２の連結方法を示している。まず図６（ａ）で示すとおり、Ｖ字型ばね２のコイル部２１を連結部材１の折返部１２にかける。この際、爪部１４の基板部側先端と基板部１１の隙間はコイル部の幅よりも狭いが、折返部１２と爪部１４のばね性を利用して通過させることができる。次に図６（ｂ）で示すとおり、連結部材１の受部１３をカバー３に施された取付孔３１に押し込む。更に図中下方向に連結部材１を移動させ、図６（ｃ）に示す状態にする。爪部１４の引掛面１４ａの基板部側先端と受部１３の受面１３ａとの離間距離ｄ１が、取付孔の連結方向長さｄ２よりも長く形成してあるので、受面１３ａを取付孔３１の図中下方向の端部に接触するまで移動させても爪部１４が取付孔３１に嵌り込まない。折返部１２のばね性を利用して爪部１４を取付孔３１に押し込むことにより、図６（ｄ）に示すような嵌り込んだ状態になる。爪部１４は基板部１１に向けて、直角よりも折返部内部方向に突き出して形成されており、また、爪部１４の引掛面１４ａの基板部側先端と受部１３の受面１３ａとの離間距離ｄ１が取付孔の連結方向長さｄ２より長く形成されているので、ばねの働きにより、爪部１４は取付前と比較して爪部用開口部１５に嵌り込んで静止する。また、爪部１４と受部１３は、取付孔３１を対向方向に押し広げる方向に力が作用し、連結部材とカバーが強固に取り付けられることになる。
【産業上の利用可能性】
【００１８】
本発明の連結部材は、照明器具のカバーと懸架部材を連結する際に利用できる他、照明器具以外においての連結部材としても応用できる。
【図面の簡単な説明】
【００１９】
【図１】従来の連結部材を用いてカバーとＶ字型ばねを連結している部分の拡大斜視図である。
【図２】本発明の連結部材を用いた照明器具を示す斜視図である。
【図３】本発明の連結部材を用いてカバーとＶ字型ばねを連結している部分の拡大斜視図である。
【図４】本発明の連結部材を示す斜視図である。図１のＡ−Ａ線での長尺ファンの測断面図である。
【図５】図４のＡ−Ａ線での連結部材の断面図である。
【図６】本発明の連結部材を用いてカバーとＶ字型ばねを連結する方法を示した断面図である。
【符号の説明】
【００２０】
１      連結部材
２      Ｖ字型ばね
３      カバー
４      器具本体
１１    基板部
１２    折返部
１３    受部
１３ａ  受面
１４    爪部
１４ａ  引掛面
２１    コイル部
３１    取付孔
４１    係合部材
１０１  ビス
【図１】
2006302508.tif 000003
【図２】
2006302508.tif 000004
【図３】
2006302508.tif 000005
【図４】
2006302508.tif 000006
【図５】
2006302508.tif 000007
【図６】
2006302508.tif 000008